(57)【要約】      （修正有）【課題】より低温でも毛髪の形を作れるヘアアイロンを提供する。【解決手段】毛髪に熱を加えて当該毛髪の形を作るヘアアイロンは、前記毛髪が巻き付けられる中空の筒体１２と、前記筒体１２の内部において、軸方向に延びるヒータ２２と、セラミックからなり、前記ヒータ２２に沿って前記筒体１２の内部に配置されるセラミックブロック２６と、を備える。【選択図】図４
0003190112.tif 000002
【実用新案登録請求の範囲】
【請求項１】
毛髪に熱を加えて当該毛髪の形を作るヘアアイロンであって、
前記毛髪が巻き付けられる中空の筒体と、
前記筒体の内部において、軸方向に延びる熱源と、
セラミックからなり、前記熱源に沿って前記筒体内部に配置されるセラミックブロックと、
を備えることを特徴とするヘアアイロン。
【請求項２】
請求項１に記載のヘアアイロンであって、さらに、
前記熱源からの熱を前記セラミックブロックに伝達するべく、前記セラミックブロックと熱源との間に介在する伝熱体を備えることを特徴とするヘアアイロン。
【考案の詳細な説明】
【技術分野】
【０００１】
本考案は、毛髪に熱を加えて当該毛髪の形を作るヘアアイロンに関する。
【背景技術】
【０００２】
従来から、毛髪に熱を加えて当該毛髪の形を作るヘアアイロンが広く知られている。かかるヘアアイロンの多くは、毛髪が巻き付けられる筒体を備えており、当該筒体の内部に設けられた熱源で筒体を加熱する。そして、この筒体を介して毛髪を加熱することで、毛髪の形が作られる。
【０００３】
ところで、このようなヘアアイロンでは、近年、加熱によって髪に与えるダメージが問題になっている。こうした熱ダメージを低減するために、毛髪を巻き付ける筒体として低温で遠赤外線を発生するセラミックを使用し、より低い温度でウエーブを付けられるようにしたものが考えられている。
【０００４】
例えば、特許文献１には、セラミックを使用したヘアアイロンが開示されている。このヘアアイロンでは、セラミックからなる中空の筒体の内部に、ヒータを配置し、このヒータでセラミックを加熱している。かかる構成によれば、セラミックから発せられる遠赤外線により、毛髪の内部から加熱することができる。
【先行技術文献】
【特許文献】
【０００５】
【特許文献１】特開平１０−１１７８３５号公報
【考案の概要】
【考案が解決しようとする課題】
【０００６】
しかしながら、特許文献１のヘアアイロンは、毛髪が巻き付けられる筒体をセラミックにしたにすぎず、全体としてのセラミック量は少ない。そのため、セラミックから発せられる遠赤外線を含む電磁波量も少なく、低温で毛髪の形を作るのは困難であった。
【０００７】
そこで、本考案では、より低温でも毛髪の形を作れるヘアアイロンを提供することを目的とする。
【課題を解決するための手段】
【０００８】
本考案のヘアアイロンは、毛髪に熱を加えて当該毛髪の形を作るヘアアイロンであって、前記毛髪が巻き付けられる中空の筒体と、前記筒体の内部において、軸方向に延びる熱源と、セラミックからなり、前記熱源に沿って前記筒体内部に配置されるセラミックブロックと、を備えることを特徴とする。
【０００９】
好適な態様では、さらに、前記熱源からの熱を前記セラミックブロックに伝達するべく、前記セラミックブロックと熱源との間に介在する伝熱体を備える。
【考案の効果】
【００１０】
本考案によれば、セラミックブロックから多量の遠赤外線を含む電磁波が輻射されるため、低温でも毛髪の形を作ることができる。
【図面の簡単な説明】
【００１１】
【図１】本考案の実施形態であるヘアアイロンの斜視図である。
【図２】ヘアアイロンの他の斜視図である。
【図３】ヘアアイロンの側面図である。
【図４】図３におけるＡ−Ａ断面図である。
【考案を実施するための形態】
【００１２】
以下、本考案の実施形態について図面を参照して説明する。図１、図２は、本考案の実施形態であるヘアアイロン１０の斜視図である。また、図３は、ヘアアイロン１０の側面図、図４は、図３におけるＡ−Ａ断面図である。
【００１３】
ヘアアイロン１０は、毛髪が巻き付けられる円柱状の筒体１２と、当該筒体１２の後端から延びるグリップ１４と、筒体１２およびグリップ１４の間に設けられた操作部１６等を備えている。
【００１４】
グリップ１４は、ユーザが握ったり、指で摘んだりして、ヘアアイロン１０を軸方向に回転させるためのものであり、弾性のあるプラスチックで構成したり、滑り止めなどを施してもよい。操作部１６は、グリップ１４と筒体１２の間で部分的に拡径された部位で、その外周面には、温度調整や電源ＯＮ／ＯＦＦのためのスイッチ１６ａ，１６ｃと、現在の温度を示す表示部１６ｂと、が設けられている。
【００１５】
また、このグリップ１４と筒体１２の間には、ユーザにより操作されるレバー１８も設けられている。このレバー１８には、筒体１２の外周面に沿って湾曲して延びる細長いクリップ板２０が、揺動可能に取り付けられている。このクリップ板２０は、筒体１２の外周面に対して離接可能となっている。クリップ板２０は、バネ（図示せず）により筒体１２の外周面方向に常時付勢されている。毛髪の形を作る際には、このクリップ板２０と筒体１２との間に毛髪を挟み込んだうえで、毛髪を筒体１２に巻き付ける。
【００１６】
筒体１２は、金属、特にアルミニウム合金等で形成された円柱体である。この筒体１２の内部には、熱源としてのヒータ２２と、当該ヒータ２２からの熱を伝達する伝熱体２４、ヒータ２２に沿って設けられたセラミックブロック２６が設けられている。
【００１７】
ヒータ２２は、図４に示す通り、筒体１２の軸方向に延びる平板状である。このヒータ２２は、断面略長方形で、筒体１２の内部のほぼ中心に設置されている。ヒータ２２としては、ＰＴＣヒータやニクロム線ヒータ等を用いることができる。グリップ１４および操作部１６の内部には、このヒータ２２の駆動を制御する回路基板２８，２９が設けられている。ユーザは、スイッチ１６ａ等を介して、筒体１２の外表面温度を指示する。回路基板２８，２９は、この指示された温度になるようにヒータ２２の駆動を制御する。なお、本実施形態では、筒体１２の外表面温度は、４０度〜１８０度の範囲で設定可能となっている。
【００１８】
ヒータ２２の両面には、金属製の伝熱体２４が取り付けられている。伝熱体２４は、熱伝導率の高い金属からなる部材で、平板を略半円状に成形したものである。伝熱体２４のうち平面部分は、ヒータ２２に、円弧面部分は、筒体１２の内周面にそれぞれ密着し、ヒータ２２からの熱を筒体１２へ伝える。
【００１９】
伝熱体２４の内側に形成される半円柱状の空間には、セラミックブロック２６が配置される。セラミックブロック２６は、略半円柱状でヒータ２２に沿って軸方向に延びているブロックである。セラミックブロック２６は、珪素、アルミニウム、鉄、ニッケルなどの元素を含有し、高温焼成にて形成されたセラミックからなり、遠赤外線を含む電磁波の輻射を低い温度で行えるようになっている。このセラミックブロック２６は、筒体１２の内部空間の大部分、例えば６０％程度を占めており、ヒータ２２の発熱に伴い、多量の遠赤外線を含む電磁波を輻射できるようになっている。図４から明らかなとおり、このセラミックブロック２６の周囲は伝熱体２４で覆われている。そのため、ヒータ２２から伝熱体２４に伝わった熱は、効率的に、セラミックブロック２６全体に伝わり、セラミックブロック２６が加熱される。このように、一旦、伝熱体２４を加熱し、セラミックブロック２６に熱を伝導する方が、ヒータ２２から直接セラミックブロック２６を加熱するよりも、セラミックブロック全体を加熱できるため効率がよい。そして、熱伝導がよい分、より速やかにセラミックブロック２６を加熱することができる。
【００２０】
以上のような構成のヘアアイロン１０を使用する場合には、まず、スイッチを操作して、ヒータ２２をＯＮとし、筒体１２を所望の温度まで加熱する。ヒータ２２がＯＮされることにより、当該筒体１２に内蔵されたセラミックブロック２６も加熱される。そして、このセラミックブロック２６から多量の遠赤外線を含む電磁波が輻射される。この遠赤外線を含む電磁波が、毛髪を内部から暖める。
【００２１】
このように遠赤外線を含む電磁波により毛髪の内部から暖めることにより、筒体１２の表面から毛髪の表面へ移動する熱量を、従来に比べて大幅に低減できる。その結果、筒体１２の表面温度が下がりにくく、下がったとしても、失われた熱量は、セラミックブロック２６の大きな熱容量により直ちに補給される。つまり、本実施形態によれば、筒体１２の表面温度の低下を大幅に防止できる。そのため、本実施形態によれば、温度低下を見越して予め筒体１２を高温に加熱しておく必要がない。また、筒体１２表面の温度を低くしても、セラミックブロック２６から輻射される多量の遠赤外線を含む電磁波により、毛髪を内部まで暖めることができるため、低温でも、毛髪のくせ付けが可能となる。結果として、本実施形態によれば、筒体１２の温度を低温に抑えても、毛髪に対するくせ付けが可能となるため、毛髪に対する熱ダメージを大幅に低減できる。より具体的には、本実施形態のヘアアイロン１０によれば、毛髪の特性にもよるが、４０度〜１８０度に加熱すれば、毛髪のくせ付けが可能となる。
【００２２】
なお、本実施形態では、筒体１２の周囲に毛髪を巻き付けて毛髪をカールさせるヘアアイロン１０を例示したが本実施形態の技術は、毛髪にくせ付けるためのヘアアイロンであれば、他の種類のヘアアイロン、例えば、断面略半円状の筒体１２で毛髪を挟み込んで縮れを矯正するストレートアイロン等に適用してもよい。
【符号の説明】
【００２３】
１０  ヘアアイロン、１２  筒体、１４  グリップ、１６  操作部、１８  レバー、２０  クリップ板、２２  ヒータ、２４  伝熱体、２６  セラミックブロック、２８，２９  回路基板。
【図１】
0003190112.tif 000003
【図２】
0003190112.tif 000004
【図３】
0003190112.tif 000005
【図４】
0003190112.tif 000006